(57)【要約】【課題】  搬送ローラと副走査ローラとの共同搬送時においても記録シートの搬送精度が悪化することなく良好な記録品位を保つことができるコンパクトで低価格な記録装置を提供することを目的とする。【解決手段】該センターギアの次段には、第２のシート給送装置の第１搬送ローラ及び第２搬送ローラと各々一体に設けられた第１搬送ローラギア及び第２搬送ローラギアが独立して配置されている。第１搬送ローラギアから繋がるギア列は、途中第１の振り子機構を介して駆動力を第１のシート給送装置と第２のシート給送装置に伝達できる構成としている。一方第２搬送ローラギアから繋がるギア列は、第２の振り子機構を介して第２のシート給送装置の第１搬送ギアから繋がったギア列の欠歯の下流に接続可能に構成しており、欠歯によって駆動が切断された第１搬送ローラギアからのギア列を接続することができるように構成している。【選択図】  図１
2005335937.tif 000002
【特許請求の範囲】
【請求項１】
以下の１〜６の構成を有するシリアルタイプの記録装置において、
１．共通の駆動源。
２．前記共通の駆動源から駆動を得る２つのシート給送装置。
３．前記２つのシート給送装置のうち第１のシート給送装置は前記駆動源の一方方向のみの回転で制御される。
４．前記２つのシート給送装置のうち第２のシート給送装置は前記駆動源の両方向の回転を使って制御される。
５．前記共通の駆動源から駆動力を第１の振り子機構を介して前記２つのシート給送装置に振り分ける第１のギア列。
６．前記共通の駆動源から駆動力を第２の振り子機構を介して前記第２のシート給送装置に伝達する第２のギア列。
以下の（Ａ）（Ｂ）を特徴とするシリアルタイプの記録装置。
（Ａ）前記第１の振り子機構の揺動範囲はキャリッジの位置に連動して動作するストッパーによって規制及び規制解除される。
（Ｂ）前記第２のシート給送装置へ駆動力を伝達する第１のギア列で前記第１の振り子機構の下流には少なくとも一つの欠歯部が設けられており、
前記駆動源が前記第２のシート給送装置を駆動し前記欠歯部で前記第２のシート給送装置への駆動が切断されている状態で、前記駆動源を反対方向に回転することで前記第１の振り子機構が前記第２のシート給送装置へ繋がるギア列から離間すると共に、前記第２の振り子機構が前記第２のシート給送装置を駆動するギア列の前記第１の振り子機構の下流側に接続し駆動することで前記第１のギア列において前記欠歯部でギア間の噛み合いが外れていた部分をギア同士の噛み合いが成立する位置になるようにする。
【請求項２】
前記２つのシート給送装置から給送されるそれぞれの記録シートの搬送量を管理する共通の記録シート給送量管理手段を有し、
前記第１のシート給送装置は第１のシート給送コントロールカムの１回転でシート給送装置から記録装置の副走査手段に記録シートを完全に受け渡すことができるシート給送装置であり、
前記第２のシート給送装置は記録シート分離給送手段と記録装置の副走査手段の間に２つの記録シート搬送手段を有するとともに、前記第２のシート給送装置は第２のシート給送コントロールカムの１回転で記録装置の副走査手段に記録シートを完全には受け渡すことができず記録開始後しばらくの間は記録装置の副走査手段とシート給送装置の前記２つの記録シート搬送手段によって共同搬送するシート給送装置であり、
前記２つの記録シート搬送手段は、前記記録シート給送量管理手段によって各々が直接駆動されるように構成したことを特徴とする請求項１記載のシリアルタイプの記録装置。
【請求項３】
前記第１のシート給送装置のシート給送ローラは丸ローラ形状であることを特徴とする請求項２記載のシリアルタイプの記録装置。
【発明の詳細な説明】
【技術分野】
【０００１】
本発明は、記録装置における被記録媒体などの種々のシートを給送するための複数のシート給送装置を備えた記録装置に関するものである。
【０００２】
シート給送装置は、例えば、ワードプロセッサやパーソナルコンピュータ等における情報出力装置としての記録装置（プリンタ）、複写機、またはファクシミリ等の画像形成装置、あるいは、その他各種のシート使用機器等に備えられる。給送対象のシートは、例えば、シート載置台、シート載置トレイ、シート載置デッキ、着脱式シートカセット、手差し給送台等のシート収容部に積載、あるいは、１枚ずつ積載セットされる。それらのシートは、例えば、画像形成部、露光部、加工部等のシート処理部に給送される。
【０００３】
なお、本発明は、一般的なプリント装置のほか、複写機、通信システムを有するファクシミリ，プリント部を有するワードプロセッサ等の装置、さらには、各種処理装置と複合的に組み合わされた産業用記録装置に適用することができる。
【背景技術】
【０００４】
プリンタ、複写機、ファクシミリ等の機能を有する記録装置、あるいはコンピュータやワードプロセッサ等を含む複合型電子機器やワークステーションの出力機器として用いられる記録装置は、画像情報に基づいて、用紙やプラスチック薄板等の記録媒体に画像を記録するように構成されている。
【０００５】
近年、カラーインクジェットプリンタ画質に銀塩写真並の美しさ・品位が求められてきており、またそのレベルに近づいてきている。そのため、家庭ではがき・Ｌ判サイズ等の写真を気軽にプリントさせたいという要求が高まっている。
【０００６】
記録メディア側の工夫も必要であり、銀塩写真調を表現するために、表面状態が光沢調・半光沢調・マット調（つや消し）等の記録シートを開発して、ユーザーの好みに合うものが選択できるようになってきている。
【０００７】
プリンタのシート供給積載部（一般に１箇所）に、記録しようとする記録シートをユーザーが入れてプリントを行う必要があるが、ある時は普通紙、ある時は写真調用紙、と使い分けることが通常の使用状況として想定され、写真調のプリントを行った後、これを抜いて普通紙に差し替える、またはこの逆の操作を頻繁に行う必要がある。
【０００８】
また、普通紙に記録することが主な使用方法である場合でも、サイズの異なる記録シートに記録する時には記録シートを差し替えて使用しなければならず面倒である。そこで、記録シートの種類または記録シートのサイズに応じ、複数の給送装置を有し、目的によって給送装置を選択してシートを給送し記録する記録装置が商品化されている。その中でも特許文献1に開示のインクジェット記録装置では共通の駆動源で複数のモードの回復動作と複数の給送装置の動作を行うことができる構成を提案している。
【特許文献１】特開平１１−１３８７８２号公報
【発明の開示】
【発明が解決しようとする課題】
【０００９】
上述特許文献１のインクジェット記録装置では第２のシート給送装置（＝シートカセット給送装置）の搬送ローラ１７がギア列の最終段に位置しているため各ギアの精度、前後のギア間での噛み合い精度や各ギア間のバックラッシの影響を受け易く搬送ローラ１７による記録シートの搬送精度が良くならず副走査ローラ１０との共同搬送時に副走査ローラ１０の記録シートの搬送に対して押し込み過ぎになったり引張り過ぎになったりして、記録時に記録シートの搬送精度が悪化し記録品位が低下するという問題があった。また、第１のシート給送装置（＝ＡＳＦ）において給紙ローラ１２は半月ローラを採用しているため給紙ローラの1回転で給紙できる量の設計自由度が小さく給送装置の小型化には難しい点があった。
【００１０】
本発明の目的は、搬送ローラと副走査ローラとの共同搬送時においても記録シートの搬送精度が悪化することなく良好な記録品位を保つことができるコンパクトで低価格な記録装置を提供することを目的とする。
【課題を解決するための手段】
【００１１】
本発明の記録装置は、第１及び第２のシート給送装置を駆動する共通の駆動源を有し、該駆動源の次段にはその回転量を正確に管理するためのコードホイールが一体に設けられたセンターギアが配置されている。該センターギアの次段には、第２のシート給送装置の第１搬送ローラ及び第２搬送ローラと各々一体に設けられた第１搬送ローラギア及び第２搬送ローラギアが独立して配置されている。第１搬送ローラギアから繋がるギア列は、途中第１の振り子機構を介して駆動力を第１のシート給送装置と第２のシート給送装置に伝達できる構成としている。第１及び第２のシート給送装置は各々のシート給送装置に繋がるギア列の途中に欠歯を配置し、それぞれのシート給送装置の各々のコントロールカムギアの１回転で給紙動作が完了するように構成している。
【００１２】
一方第２搬送ローラギアから繋がるギア列は、第２の振り子機構を介して第２のシート給送装置の第１搬送ギアから繋がったギア列の欠歯の下流に接続可能に構成しており、欠歯によって駆動が切断された第１搬送ローラギアからのギア列を接続することができるように構成している。
【００１３】
また、第１のシート給送装置の給紙ローラは丸ローラ形状としている。
【発明の効果】
【００１４】
以上説明したように本発明によって、搬送ローラと副走査ローラとの共同搬送時においても記録シートの搬送精度が悪化することなく良好な記録品位を保つことができるコンパクトで低価格な記録装置を提供することができる。
【発明を実施するための最良の形態】
【００１５】
以下、図面を参照して本発明の記録装置に係る実施形態を説明する。
【００１６】
なお、本明細書において、「記録」とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も言うものとする。
【００１７】
ここで、「記録媒体」とは、一般的な記録装置で用いられる紙のみならず、広く、布、プラスチック・フィルム、金属板等、ガラス、セラミックス、木材、皮革等、インクを受容可能な物も言うものとする。
【００１８】
さらに、「インク」とは、上記「記録」の定義と同様広く解釈されるべきもので、記録媒体上に付与されることによって、画像、模様、パターン等の形成または記録媒体の加工、或いはインクの処理（例えば記録媒体に付与されるインク中の色材の凝固または不溶化）に供され得る液体を言うものとする。
【００１９】
以下に説明する実施形態では、インクジェット記録方式を用いた記録装置としてプリンタを例に挙げ説明する。
【００２０】
以下、本発明の実施の形態について図面を参照して説明する。
【００２１】
図１に本発明を適用したインクジェット記録装置の全体斜視図を示す。
【００２２】
１００はインクジェット記録装置である。２００は第１のシート給送装置であるＡＳＦ（＝オートシートフィーダ）であり、シート積載部に積載された記録シート３００を１枚１枚分離給送する。４００は第２のシート給送装置でありシート積載部に積載された記録シート５００を１枚１枚分離給送する。６００は排紙トレイであり記録が完了した記録シートを積載保持する。
【００２３】
図２に本発明を適用したインクジェット記録装置のケースを外した全体斜視図を示す。
【００２４】
７００はキャリッジであり記録ヘッド（不図示）及びインクカートリッジ７０１、７０２を搭載し、シャーシ１０１及びシャーシと一体に設けられたガイドレール１０２に沿って矢印方向（＝主走査方向）に往復移動可能に構成されている。８００は記録シート搬送手段である。９００は記録ヘッドの状態を常に正常な状態に保つための記録ヘッド回復手段である。
【００２５】
図３に本発明を適用したインクジェット記録装置の断面図を示す。
【００２６】
図４〜９は駆動伝達の構成を抜き出して示した説明図である。
【００２７】
これらの図に従って駆動伝達の構成、第１及び第２のシート給送装置からシートが給送・記録される場合を説明する。
【００２８】
[駆動伝達の構成]
２０１は第１及び第２のシート給送装置の共通の駆動源であるシート給送モータである。２０２はプーリであり該シート給送モータ２０１の出力軸に一体に取り付けられている。２０３はタイミングベルトであり該プーリ２０２とセンターギア２０４間に張架されている。センターギア２０４には一体にエンコーダホイール２０５が取り付けられており、不図示のエンコーダセンサで検知することにより正確にセンターギアの回転位置を検出することができる。４０１、４０２はそれぞれ第１搬送ローラ、第２搬送ローラである。第１搬送ローラの一端には第１搬送ローラギア４０３が、また第２搬送ローラの一端には第２搬送ローラギア４０４がそれぞれ一体に取り付けられている。第１搬送ローラギアと第２搬送ローラギアは同一歯数でそれぞれが前記センターギア２０４に噛み合っている。
【００２９】
１搬送ローラ４０１の他端には第１の振り子機構４０５が取り付けられている。第１の振り子機構４０５は第１搬送ローラ４０１に一体に取り付けられた第１太陽ギア（不図示）と第１遊星ギア４０６と第１振り子アーム４０７及び第１フリクションバネ（不図示）とから構成されている。第１の振り子機構４０５は一方に振れると第１アイドラギア２０６に噛み合い、他方に振れると第２給紙ローラ４１０の一端に一体に取り付けられギアの回転軸スラスト方向の一部に欠歯部を有する第２給紙ローラギア４０８に噛み合う構成となっている。
【００３０】
２１０は引っ張りバネ２１２によって付勢されたトリガーアームＢであり第１の振り子機構の第１及び第２シート給送装置間の駆動の切り替え可否を制御する。キャリッジ７００によってトリガーアームＡ２１１が回動されると該トリガーアームＡとリンクするトリガーアームＢ２１０が回動し第１の振り子機構の駆動伝達切り替え規制を解除する構成となっている。
【００３１】
アイドラギア２０６は、第１コントロールカムギア２０７に噛み合っており、第１コンロトールカムギア２０７は欠歯部を有するギアを介して円筒形の第１給紙ローラ２０９の一端に一体に取り付けられた第１給紙ローラギアに接続される構成となっている。
【００３２】
第２給紙ローラギア４０８は、ギアの回転軸スラスト方向の一部に欠歯部を有し第２給紙ローラギア４０８と同一歯数である第２コントロールカムギア４０９と噛み合っている。
【００３３】
一方、第２搬送ローラ４０２の他端には、第２の振り子機構４１１が取り付けられている。第２の振り子機構４１１は第２搬送ローラ４０２に一体に取り付けられた第２太陽ギア（不図示）と第２遊星ギア４１２と第２振り子アーム４１３及び第２フリクションバネ（不図示）とから構成されている。第２の振り子機構４１１は一方に振れると第２コントロールカムギア４０９に噛み合い、他方に振れると該噛み合いが解除される構成となっている。
【００３４】
[第１のシート給送装置からの記録]
図５においてキャリッジ７００が所定位置に移動し、キャリッジの一部７０３でトリガーアームＡ２１１を回動させることでトリガーアームＡ２１１とリンクしているトリガーアームＢ２１０を回動させ第１の振り子機構４０５の駆動切り替え規制を解除する。
【００３５】
第１及び第２のシート給送装置の共通の駆動源であるシート給送モータ２０１が矢印の方向（反時計回り方向）に回転するとセンターギア２０４、第１搬送ローラギア４０３、第１搬送ローラ４０１、第２搬送ローラギア４０４と第２搬送ローラ４０２がそれぞれ図中矢印の方向へ回転する。その結果、図中矢印で示すように第１の振り子機構４０５は第１のシート給送装置側へ回動し、第２の振り子機構４１１は第２コントロールカムギア４０９側へ回動する。
【００３６】
そして図６ａ、図６ｂに示すように第１の振り子機構４０５の第１遊星ギア４０６がアイドラギア２０６と噛み合い各ギアが図中矢印の方向へ回転する。よって、第１のシート給送装置２００では第１給紙ローラ２０９により積載されている記録シートが分離給送されることになる。分離機構に関しては既存の技術を用いて構成しているためここでは詳しい説明を省く。一方第２のシート給送装置４００には駆動が繋がらないので給送されない。この時、第２遊星ギア４１２と第２コントロールカムギア４０９の間は欠歯部に位置するため駆動が伝わらない。
【００３７】
シート給送モータ２０１はそのまま回転し、分離給送された記録シート３００を副走査ローラ８０１（図３参照）へ引き渡した後第１コントロールカムギア２０７の欠歯部が第１給送ローラギア２０８と対向する位置になったところで停止する。これにより第１給紙ローラ２０９と第１給紙ローラギア２０８はギア列からフリーになる。印字中は副走査ローラ８０１で記録シート３００が搬送されるが前記のごとく第１給送ローラ２０９と第１給紙ローラギア２０８がフリーになっているため第１給送ローラが丸ローラ形状であっても記録シート３００の移動に伴い従動駆動され記録品位を劣化させることはない。第１給送ローラ形状を丸ローラ形状にすることで第１給送ローラ２０９の１回転に制限されること無く第１コントロールカムギア２０７の１回転で記録シート３００の給送量を決定できるため第１コントロールカムギア２０７と第１給送ローラ間のギア比を変更することで記録シート３００の給送量を変えることができ設計自由度を増すことができる。
【００３８】
[第２のシート給送装置からの記録]
まず前述したようにキャリッジ７００が所定位置に移動し、キャリッジの一部７０３でトリガーアームＡ２１１を回動させることでトリガーアームＡ２１１とリンクしているトリガーアームＢ２１０を回動させ第１の振り子機構４０５の駆動切り替え規制を解除する。
【００３９】
図７ａに示すようにシート給送モータ２０１が図中矢印の方向（時計回り方向）に回転するとセンターギア２０４、第１搬送ローラギア４０３、第１搬送ローラ４０１、第２搬送ローラギア４０４と第２搬送ローラ４０２がそれぞれ図中矢印の方向へ回転する。その結果、図中矢印で示すように第１の振り子機構４０５は第２のシート給送装置側へ回動し、第２の振り子機構４１１は第２コントロールカムギア４０９と反対側へ回動する。
【００４０】
第１の振り子機構４０５の第１遊星ギア４０６が第２給送ローラギア４０８と噛み合い、各ギアが図中矢印の方向へ回転する。よって、第２のシート給送装置４００では第２給紙ローラ４１０により積載されている記録シート５００が給送されることになる。分離手段は既存の技術の分離手段を用いているのでここでの説明は省略する。一方、第１のシート給送装置２００には駆動が繋がらないので給送されない。
【００４１】
シート給送モータ２０１はそのまま回転し、分離給送された記録シート５００は第２搬送ローラ４０２に受け渡される。第２搬送ローラ４０２に受け渡された後、第２給紙ローラ４０８は欠歯により１回転する若干手前で駆動力が切断され停止する。この時Ｄカット部が紙パス側に対向することで記録シート５００と第２給紙ローラ４１０が接触することは無く記録シート５００の搬送負荷増大を起こさない構成としている。図７ｂは第２給紙ローラギア４０８の欠歯部分が第１遊星ギア４０６と対向する位置にある状態を示している。シート給送モータ２０１が図中矢印方向（時計回り方向）に回転すると各ギア列及びローラが図中矢印方向に回転する。第１の振り子機構４０５は第２の給紙ローラギア４０８と噛み合う位置になっているが第２給紙ローラギア４０８が欠歯位置まで回転した時点でギア間の噛み合いが切断されるため第２給紙ローラギア４０８以下に繋がる構成は停止する。第２の振り子機構４１１は第２コントロールカムギア４０９から離れる方向（図中矢印）に回動するため第２のシート給送装置の分離・給送部には駆動が繋がらない。
【００４２】
第２搬送ローラ４０２に受け渡された記録シート５００は第１搬送ローラ４０１を経て副走査ローラ８０１（図３参照）に送られる。第２シート給送装置４００の紙パスはＵターンパスになっているので屈曲部での搬送負荷が大きく記録品位を低下させる原因になるので記録シート５００の後端がＵターンパスの屈曲部を抜けるまでは副走査ローラ８０１のみではなく第２搬送ローラ４０２、第１搬送ローラ４０１も同期送りする構成としている。本実施例では、正確に回転量を検出するセンターギア２０４の次段に第１搬送ローラ４０１と第２搬送ローラ４０２を配置することで搬送精度の低下を防止している。副走査ローラ８０１にはエンコーダホイール８０２が一体に取り付けられエンコーダセンサ８０３により検知することで正確に副走査ローラ８０１の回転量を検出する構成となっている。第２のシート給送装置４００のエンコーダ検出による記録シート５００の搬送解像度と副走査ローラ８０１のエンコーダ検出による記録シート５００の搬送解像度は一致させているか、もしくは若干第２のシート給送装置４００側の搬送解像度を小さく設定している（＝エンコーダ１スリットあたりの搬送量が若干大きい設定）。これにより第１及び第２搬送ローラ４０１及び４０２と副走査ローラ８０１で記録シート５００を共同搬送している際に副走査ローラ８０１での記録シート５００搬送負荷を増大させることが無く記録品位を良好に保つことができる。
【００４３】
そして記録シート５００の後端が第１搬送ローラ４０１を通過すると記録シート５００は記録シート搬送手段８００のみで搬送され記録が実施される。
【００４４】
図８に示すように記録シート５００の後端が第１搬送ローラ４０１を通過した後、シート給送モータ２０１を図中矢印方向（反時計方向）に回転させると各ギア列及びローラは図中矢印方向に回転する。第１の振り子機構４０５は図中矢印方向に回動し第１遊星ギア４０６が第２給紙ローラギア４０８との噛み合い位置から離間し駆動が切断される。この時、第２振り子アーム４０７の先端がトリガーアームＢ２１０に当接することで回動が規制され第１のシート給送装置２００側に駆動が接続されるのを防止する構成としている。一方、第２の振り子機構４１１は図中矢印方向に回動し第２コントロールカムギア４０９と噛み合う。
【００４５】
図９に示すようにそのままシート給送モータ２０１を図中矢印方向（反時計方向）に回転させると各ギア列及びローラは図中矢印方向に回転する。第１の振り子機構４０５第１遊星ギア４０６は第１のシート給送装置にも第２のシート給送装置にも接続せず空回りする。一方、第２の振り子機構４１１の第２遊星ギア４１２は第２コントロールカムギア４０９とこれと噛み合っている第２給紙ローラギア４０８を図中矢印方向に回動する。第２コントロールカムギア４０９の欠歯部が第２遊星ギア４１２と対向する位置にきたところで駆動が切断され停止する。この時、第２給紙ローラギアの欠歯部も回動し第１遊星ギア４０６と対向する位置からずれる構成としている。このようにすることで次に第１の振り子機構４０５が第２給紙ローラギア４０８との噛み合い位置に回動してきた時に第１遊星ギア４０６と第２給紙ローラギア４０８とが噛み合うことができ駆動を第２のシート給送装置に伝えることができるようになる。
【図面の簡単な説明】
【００４６】
【図１】本発明の実施形態におけるインクジェット記録装置の全体斜視図である。
【図２】本発明の実施形態におけるインクジェット記録装置のケースを外した状態の全体斜視図である。
【図３】本発明を適用したインクジェット記録装置の断面図である。
【図４】本発明を適用したインクジェット記録装置の駆動伝達の構成を抜き出して示した説明図である。
【図５】本発明を適用したインクジェット記録装置の駆動伝達の構成を抜き出して示した説明図である。
【図６】（ａ）は本発明を適用したインクジェット記録装置の駆動伝達の構成を抜き出して示した説明図である。（ｂ）は本発明を適用したインクジェット記録装置の駆動伝達の構成を抜き出して示した説明図である。
【図７】（ａ）は本発明を適用したインクジェット記録装置の駆動伝達の構成を抜き出して示した説明図である。（ｂ）は本発明を適用したインクジェット記録装置の駆動伝達の構成を抜き出して示した説明図である。
【図８】本発明を適用したインクジェット記録装置の駆動伝達の構成を抜き出して示した説明図である。
【図９】本発明を適用したインクジェット記録装置の駆動伝達の構成を抜き出して示した説明図である。
【符号の説明】
【００４７】
１００  インクジェット記録装置
１０１  シャーシ
１０２  ガイドレール
２００  第１のシート給送装置
２０１  シート給送モータ
２０２  プーリ
２０３  タイミングベルト
２０４  センターギア
２０５  コードホイール
２０６  アイドラギア
２０７  第１コントロールカムギア
２０８  第１給紙ローラギア
２０９  第１給紙ローラ
２１０  トリガーアームＢ
２１１  トリガーアームＡ
３００  第１のシート給送装置に積載された記録シート
４００  第２のシート給送装置
４０１  第１搬送ローラ
４０２  第２搬送ローラ
４０３  第１搬送ローラギア
４０４  第２搬送ローラギア
４０５  第１の振り子機構
４０６  第１遊星ギア
４０７  第１振り子アーム
４０８  第２給紙ローラギア
４０９  第２コントロールカムギア
４１０  第２給紙ローラ
４１１  第２の振り子機構
４１２  第２遊星ギア
４１３  第２振り子アーム
５００  第２のシート給送装置に積載された記録シート
６００  排紙トレイ
７００  キャリッジ
７０１  インクカートリッジ
７０２  インクカートリッジ
８００  記録シート搬送手段
８０１  副走査ローラ
８０２  エンコーダホイール
８０３  エンコーダセンサ
９００  記録ヘッド回復手段
【図１】
2005335937.tif 000003
【図２】
2005335937.tif 000004
【図３】
2005335937.tif 000005
【図４】
2005335937.tif 000006
【図５】
2005335937.tif 000007
【図６】
2005335937.tif 000008
【図７】
2005335937.tif 000009
【図８】
2005335937.tif 000010
【図９】
2005335937.tif 000011